(57)【要約】【課題】本発明は、発射ユニットの取付ベースに対して、予め製作されたレールユニットを取付けることにより、組立時の調整工程を大幅に簡略化することを目的とする。【解決手段】本発明によるパチンコ玉発射装置は、発射レール（２）及び玉セット機構（３）を有するレールベース（１１）と、このレールベース（１１）と取付ベース（１）に設けられた位置決め手段（２００）とを有し、この位置決め手段（２００）を介してレールベース（１１）を取付ベース（１）の所定位置に固定する構成である。【選択図】        図１
2004230149.tif 000002
【特許請求の範囲】
【請求項１】
取付ベース（１）に発射レール（２）、玉セット機構（３）、発射鎚（５）及び前記発射鎚（５）を駆動するための駆動体（３０）を配設した構成よりなるパチンコ玉発射装置において、前記発射レール（２）及び玉セット機構（３）を有するレールベース（１１）と、前記レールベース（１１）と前記取付ベース（１）に設けられた位置決め手段（２００）とを有し、前記位置決め手段（２００）により前記レールベース（１１）を前記取付ベース（１）の予め決められた所定位置に位置決め固定されるように構成したことを特徴とするパチンコ玉発射装置。
【請求項２】
前記位置決め手段（２００）は、前記レールベース（１１）に設けられた突起（２２）と、前記取付ベース（１）に設けられ前記突起（２２）が嵌合する孔（２３）とからなることを特徴とする請求項１記載のパチンコ玉発射装置。
【請求項３】
前記レールベース（１１）に設けられた前記発射レール（２）は、前記レールベース（１１）及び取付ベース（１）に対して予め設定された位置になるように前記取付ベース（１）に取付ける前に予め位置調整されていることを特徴とする請求項１又は２記載のパチンコ玉発射装置。
【請求項４】
前記レールユニット（１１Ａ）は組立て後の完成品よりなり、前記完成品の状態で前記発射ユニット（１Ａ）に取付けられていることを特徴とする請求項１ないし３の何れかに記載のパチンコ玉発射装置。
【請求項５】
前記レールユニット（１１Ａ）を構成するレールベース（１１）は、全体形状がＬ字型をなし、前記玉セット機構（３）が設けられている基幹部（１０１）と、前記基幹部（１０１）から延設され発射レール（２）が設けられたレールベース（１１）とからなることを特徴とする請求項１ないし４の何れかに記載のパチンコ玉発射装置。
【発明の詳細な説明】
【０００１】
【発明の属する技術分野】
本発明は、パチンコ玉発射装置に関し、特に、発射鎚が設けられている取付ベースに対し、予め位置調整済みの発射レールが取付けられたレールベースを位置決め手段を介して取付けることにより、玉飛び誘導の精度出しを発射レールに対して行う必要をなくして組立後の調整等を簡略化するための新規な改良に関する。
【０００２】
【従来の技術】
従来、用いられていたこの種のパチンコ玉発射装置としては、図７で示す構成がある（例えば、特許文献１参照）。
図７において符号１で示されるものは、板状の取付ベースであり、この取付ベース１の上部位置には発射レール２及び玉セット機構３が設けられている。
前記取付ベース１の下部位置には、回動自在に軸支され鎚先バネ４を有する発射鎚５が設けられており、この発射鎚５の近傍位置には戻り時停止ゴム６及び発射時停止ゴム７が配設されている。
前記発射鎚５は図示しない駆動用ソレノイド等からなる駆動体によって、矢印Ａの方向に駆動され、戻りバネ８によって元の位置に復帰するように構成されている。
【０００３】
前述の図７のパチンコ玉発射装置の他の従来例としては、台に各部品を取付ける場合、図８に示されるように、レールユニット１１Ａを固定するレールユニット固定具１２、発射ユニット１Ａを固定する発射ユニット固定具１４を用いることになっていた。
【０００４】
【特許文献１】
実開平７−３１０８３号公報
【０００５】
【発明が解決しようとする課題】
従来のパチンコ玉発射装置は、以上のように構成されていたため、次のような課題が存在していた。
まず、図７の従来構成の場合、発射レールのレール形状及び取付ベースへの組付け並びに玉飛び誘導の精度出しには多くの製造上のノウハウが存在し、専門メーカーが担当し、それ以外のメーカーが簡単に製造及び調整を行うことは不可能であり、台に取付けた後に、熟練した作業者によって十分な調整を必要としていた。
また、図８の従来構成においては、台に対して４個の部品を別々に取付けなければならず、４個の部品の各固体差により総合して合計の誤差を伴い、台における玉発射状態の調整作業が容易ではなかった。
すなわち、玉を発射する上での一番重要な点は発射レール上の発射位置にセットされた玉と、発射ユニット鎚先バネの位置決めである。玉の真芯とバネの中心が一致した時に初めて安定した玉飛びとなる。また発射時に鎚先バネが発射シール内に突出する長さによって玉飛びの距離は変動する。安定した玉飛びにはこの鎚先位置決め及び鎚先バネ突出長の調整が必要である。発射ユニットはユニット側メーカーで製造時に所定の位置に鎚先がくる様、また一定のバネ突出長である様に調整を行っているが、最終的にパチンコ台メーカーでは、これら発射機構を組み付け構成した後に同様の調整を行っているのである。
これは発射ユニット及び発射レールユニットをパチンコ台側に取り付けた際の組み付け誤差及び発射ユニット・発射レールユニットの製品個体差などの積み上げにより、最終的には調整が必要となってしまうからである。
従って、前述の図７及び図８に示された従来構成においては、特に、発射レールの取付後及びレールユニットの取付後における調整作業に多大の時間とコスト、さらには熟練した作業者を必要とし、パチンコ遊戯機の量産における大きい障害となっていた。
【０００６】
本発明は、以上のような課題を解決するためになされたもので、特に、レールベースからなるレールユニットを発射鎚を有する取付ベースに予め設定された位置決め手段を介して直接組付けることにより、累積する誤差を最小とし、台に取付けた場合の調整設備及び時間を短縮及び省略できるようにしたパチンコ玉発射装置を提供することを目的とする。
【０００７】
【課題を解決するための手段】
本発明によるパチンコ玉発射装置は、取付ベースに発射レール、玉セット機構、発射鎚及び前記発射鎚を駆動するための駆動体を配設した構成よりなるパチンコ玉発射装置において、前記発射レール及び玉セット機構を有するレールベースと、前記レールベースと前記取付ベースに設けられた位置決め手段とを有し、前記位置決め手段により前記レールベースを前記取付ベースの予め決められた所定位置に位置決め固定されるようにした構成であり、また、前記位置決め手段は、前記レールベースに設けられた突起と、前記取付ベースに設けられ前記突起が嵌合する孔とからなる構成であり、また、前記レールベースに設けられた前記発射レールは、前記レールベース及び取付ベースに対して予め設定された位置になるように前記取付ベースに取付ける前に予め位置調整されている構成であり、また、前記レールユニットは組立て後の完成品よりなり、前記完成品の状態で前記発射ユニットに取付けられている構成であり、また、前記レールユニットを構成するレールベースは、全体形状がＬ字型をなし、前記玉セット機構が設けられている基幹部と、前記基幹部から延設され発射レールが設けられたレールベースとからなる構成である。
【０００８】
【発明の実施の形態】
以下、図面と共に本発明によるパチンコ玉発射装置の好適な実施の形態について説明する。尚、従来例と同一又は同等部分については同一符号を用いて説明する。
図１において符号１で示されるものは、金属板よりなる発射ユニット１Ａの板状の取付ベースであり、この取付ベース１の上部位置には発射レール２及び玉セット機構３を有する金属板よりなる板状のレールベース１１からなるレールユニット１１Ａが設けられている。
尚、この発射ユニット１Ａとレールユニット１１Ａは、各々別々に独立して形成されているため、全く別のパチンコ台の発射ユニット又はレールユニットとの組合せも可能である。
【０００９】
前記発射レール２及びレールベース１１は、発射レール専門メーカーによって予め製作され、発射レール２は前記取付ベース１の後述の発射鎚５による玉の発射動作における玉飛び誘導の精度が予め出されるように調整済みで構成（すなわち、専門メーカーにて組立て完成品である）されている。
【００１０】
前記レールベース１１の裏面には、複数の突起２２が設けられ、前記取付ベース１のほぼ中央位置には前記各突起２２に対応した複数の孔２３が形成されていると共に、この孔２３の近傍位置には複数のねじ孔２４が形成されている。
【００１１】
前記各孔２３及びねじ孔２４の位置は、前記レールベース１１を取付ベース１に取付けた場合に、前述の発射レール２等の後調整が殆んど不要であるような位置関係となるように配設されている。
従って、前記レールベース１１の各突起２２を取付ベース１の各孔２３内に嵌合させ、取付ねじ２５を各ねじ孔２４に螺合させることにより、レールベース１１の発射レール２は発射鎚５に対してほぼ理想的な相互位置関係となるように固定される。従って、前述の各突起２２と孔２３により位置決め手段２００を構成している。
【００１２】
前記取付ベース１の下部位置には、周知のモータ又は有限角ソレノイド等からなる駆動体３０が設けられ、この駆動体３０の回転軸３１には全体形状がほぼＬ字型をなすと共に鎚先バネ４を有する発射鎚５が設けられ、この発射鎚５は戻りバネ８によって常時下方側へ付勢されている。
【００１３】
前記発射鎚５は、取付ベース１に設けられた戻り時停止ゴム６によってその下限位置が規制され、その上方に設けられた発射時停止ゴム７によって上方へ回動した時の上限位置が規制されている。
従って、前述のようにレールベース１１を取付ベース１に取付ける場合、工程的には図２及び図３で示されるように示すことができる。
すなわち、図２のようにレールユニット１１Ａを発射ユニット１Ａに取付けることにより、パチンコ玉発射装置１００が構成される。このように構成されたパチンコ玉発射装置１００を図３のように台１０に取付けることによって、従来より少ない組付け回数により累積誤差を最小としてパチンコ遊戯機が完成される。
【００１４】
図４から図６は、前述の本発明によるパチンコ玉発射装置１００を組立後に、出荷テストを行う場合を示している。すなわち、本発明においては発射レール２を含むレールユニット１１Ａが、予め発射ユニット１Ａの取付ベース１に取付けられた状態を想定してパチンコ玉６０を所定の状態で発射できるように専門メーカーに組付け及び精度出しを行ってもらいレールベース１１及び取付ベース１に対して予め設定された位置になるように取付ベース１に取付ける前に予め位置調整されている。従って、このレールユニット１１Ａを取付ベース１に固定することにより、発射レール２のレール調整工程（すなわち、玉飛び誘導の精度出し）が不要である。
【００１５】
また、前述のように専門メーカーで製作され予め調整済みの発射レール２を有するレールユニット１１Ａを用いているため、製造工程において実際に玉６０を発射鎚５を固定して図４及び図５のように鎚先バネ４の位置を確認することができる。また、図６のように鎚先バネ４の突出長の調整を行うことができる。
尚、前述のレールベース１１は全体形状がほぼＬ字型をなし、このレールベース１１は前述のように専門メーカーにて全て調整を終えて組立てが完成されており、発射レール２、取付ねじ２５による取付位置、位置決めピンとしての一対の突起２２、２２、玉セット機構３等が全て予め設定された条件通りに取付けて組立てられている。
また、この各突起２２、２２は、レールユニット１１Ａを発射ユニット１Ａに取付ける際の組み付け精度を出すために２個以上（本形態では２個であるが）設けられ、一例として直径５ｍｍ、高さ５ｍｍの円柱形状（四角、三角等も可）である。
前記レールベース１１はレール長によって形状は変わるが、玉を受けて発射鎚が打ち出せる玉セット機構３の部分を基幹部１０１とし、この基幹部１０１から発射レール２が延設された延設部１０２とから構成されて全体がＬ字型に形成され、レールユニット１１Ａとして予め完成品として組立てられている。従って、このレールユニット１１Ａを取付ねじ２５、突起２２、ねじ孔２４、孔２３を介して発射ユニット１Ａに取付けることによって、ユーザーのニーズに適合した規格の発射装置で簡単に組上げられる。
【００１６】
【発明の効果】
本発明によるパチンコ玉発射装置は、以上のように構成されているため、次のような効果を得ることができる。
すなわち、予め位置等の条件が調整された発射レールを有するレールユニットを発射ユニットの取付ベースに固定するだけでほぼ調整済みのパチンコ玉発射装置を得ることができ、従来行われていたレール等の調整工程を短縮及び削除できる。
また、従来必要としていた専門の調整治具を用いることなく実機・実物によるより正確な位置決め調整が可能で、信頼性が向上する。
また、前述のように専用の調整治具を製作する必要がなくなるため、製造ラインのコストダウンが可能となる。また、発射ユニットの取付ベース上にレールユニットの基幹部が固定されることによって、発射レールと発射鎚との剛性を向上させることが可能となり、環境条件や経年変化に影響されない安定した玉飛びを実現することができる。
【図面の簡単な説明】
【図１】本発明によるパチンコ玉発射装置を示す分解斜視図である。
【図２】図１の構成の組立状態を示す構成図である。
【図３】図２の構成の台への組立状態を示す構成図である。
【図４】図１の組立後のパチンコ玉発射装置の調整状態を示す構成図である。
【図５】図４の要部を示す拡大図である。
【図６】図５の調整状態を示す構成図である。
【図７】従来装置を示す構成図である。
【図８】従来装置の組立状態を示す構成図である。
【符号の説明】
１    取付ベース
２    発射レール
３    玉セット機構
５    発射鎚
１１    レールベース
２２    突起
２３    孔
３０    駆動体
２００    位置決め手段
【図１】
2004230149.tif 000003
【図２】
2004230149.tif 000004
【図３】
2004230149.tif 000005
【図４】
2004230149.tif 000006
【図５】
2004230149.tif 000007
【図６】
2004230149.tif 000008
【図７】
2004230149.tif 000009
【図８】
2004230149.tif 000010